(57)【特許請求の範囲】
【請求項１】
通信端末用ハンズフリー装置の使用者にシグナリングを行うためのハンズフリー装置内のシグナリング装置であって：
短距離無線接続をハンズフリー装置と通信端末との間に確立し、ハンズフリー装置と通信端末とが互いに相手を接続するための装置（７０２，７０６，７１６，７１８，７２０）と；
ハンズフリー装置において、ハンズフリー装置への無音呼び出しを明示的に指定する警報メッセージを、短距離無線接続上で受信するための装置（７０２，７０６，７１６，７１８，７２０）と；
警報メッセージに応答して、ハンズフリー装置で無音警報動作を行なうための装置（７０２，７０６，７１０，７１４）と、を含む前記シグナリング装置。
【請求項２】
請求項１記載のシグナリング装置が、更にハンズフリー装置において無音警報動作を行なわせるためのモードである無音警報モードの使用者の選択を検出するための装置（７０２，７０６，７１０，７１２）を含む、前記シグナリング装置。
【請求項３】
請求項２記載のシグナリング装置が、更に、通信端末に対し今後の警報動作を無音で行なうことを指示するための無音警報モード始動メッセージを、通信端末に対して、短距離無線接続上で送信するための装置（７０２，７０６，７１６，７１８，７２０）を含む、前記シグナリング装置。
【請求項４】
通信端末用、ハンズフリー装置であって：
非聴シグナリング機構（７１４）と；
非聴シグナリング機構に接続されており、ハンズフリー装置の可聴通信入力/出力のためのオーディオ入力／出力装置（７１８，７２２，７２４，７２６）と；
非聴シグナリング機構（７１４）とオーディオ入力／出力装置（７１８，７２２，７２６）に接続され、ハンズフリー装置が、短距離無線接続を確立し、ハンズフリー装置と通信端末とが互いに相手を接続出来るようにし、ハンズフリー装置への無音呼び出しを明示的に指定する警報メッセージを短距離無線接続を通して受信するように制御し、その警報メッセージに応答して非聴シグナリング機構（７１４）において、無音警報動作を行なうように制御する、ロジック（７０２，７０６，７１０）とを含む、前記ハンズフリー装置。
【請求項５】
請求項４記載のハンズフリー装置が更に、前記ロジックに接続され、ハンズフリー装置に無音警報動作を行なわせるための無音警告モードを使用者に始動させることができる、無音警報モード入力機構（７１２）を含む、前記ハンズフリー装置。
【請求項６】
請求項４記載のハンズフリー装置において、非聴シグナリング機構（７１４）が振動器を含む、前記ハンズフリー装置。
【請求項７】
請求項４記載のハンズフリー装置において、非聴シグナリング機構（７１４）が光を出力する装置を含む、前記ハンズフリー装置。
【請求項８】
請求項４記載のハンズフリー装置において、短距離無線接続がブルートゥース接続であり、警報メッセージがブルートゥースハンズフリー・プロフィールに基づいている、前記ハンズフリー装置。
【請求項９】
請求項５記載のハンズフリー装置において、短距離無線接続がブルートゥース接続であり、警報メッセージがブルートゥースハンズフリー・プロフィールに基づいている、前記ハンズフリー装置。
【請求項１０】
通信端末であって：
オーディオ・ゲートウェイ（ＡＧ）システム（８０１，８０２，８０７）と；
短距離無線接続を介して通信を制御する、短距離無線周波数（ＲＦ）ブロック（８１２）と；
短距離ＲＦブロックにロジックを提供する、短距離ベースバンド・ロジック（８１４）と；
ＡＧシステム（８０１，８０２，８０７）、短距離ベースバンド・ロジック（８１４）短距離ＲＦブロック（８１２）とに接続され、通信端末が短距離無線接続をハンズフリー装置と確立して、通信端末とハンズフリー装置とが互いに相手を接続出来る様にし、入力呼に応答してハンズフリー装置への無音呼び出しを明示的に指定する無音警報メッセージをハンズフリー装置に短距離ＲＦブロック（８１２）を通して送信するように制御する、処理プラットフォーム（８０８）とを含む、前記通信端末。
【請求項１１】
請求項１０記載の通信端末において、処理プラットフォーム（８０８）が更に、通信端末に対し今後の警報動作を無音で行なうことを指示するために無音警報モード始動メッセージをハンズフリー装置から、短距離ＲＦブロック（８１２）を経由して受信させるように通信端末を制御する、前記通信端末。
【請求項１２】
請求項１１記載の通信端末において、短距離無線接続がブルートゥース接続であり、無音警報メッセージおよび無音警報モード始動メッセージとが、ブルートゥース・ハンズフリー・プロフィールに基づく、前記通信端末。
【請求項１３】
通信端末用ハンズフリー装置の使用者に対するシグナリング方法であって：
短距離無線接続をハンズフリー装置と通信端末との間で確立し（３０２，４０２，５０２，６０２）、ハンズフリー装置と通信端末が互いに相手を接続し；
ハンズフリー装置において、通信端末から短距離無線接続を介してハンズフリー装置への無音呼び出しを明示的に指定する警報メッセージ（３０８，３２０，４０６，４１４，５０６，５１０，６１２，６１６）を受信し；
警報メッセージに応答して、ハンズフリー装置において、無音警報動作を行なう（３１４，３２２，４１２，４１６，５０８，５１２，６１４，６１８）、
以上を含む、前記方法。
【請求項１４】
請求項１３記載の方法が更に、ハンズフリー装置での使用者によるハンズフリー装置に無音警報動作を行なわせるためのモードである無音警報モード（３１０，４０８，６０６）の選択を判断することを含む、前記方法。
【請求項１５】
請求項１４記載の方法が更に、ハンズフリー装置から通信端末へ、通信端末に対し今後の警報動作を無音で行なうことを指示するための無音警報モード始動メッセージ（６０６）を短距離無線接続を介して送ることを含む、前記方法。
【発明の詳細な説明】
【技術分野】
【０００１】
（背景技術）
移動体端末、またいわゆるセルラまたは個人通信システム（PCS : Personal Communication System）端末、または普及しつつある計算機器の広範囲な急増に伴い、使用者はその様な装置を公共の場でより目障りとならないように使う方法を要求している。その結果、多くのその様な機器は今日「無音警報」機能を具備している。この様な無音警報機能はその端末の中に構築された「非聴」警報装置の使用を含む。この装置は典型的に使用者に対して入力呼、または起こりうるその他の事象を、ピエゾ電子式バイブレータまたは偏心質量を具備したモータの様な機構で発生される振動で警報する。もちろん、その様な警報機構を有効とするためには、呼が受信された際にこの機構含む移動体端末が使用者に物理的に接触していなければならない。
【０００２】
上記の発展と並行して、「ブルートゥース」技術が、移動体端末に短距離無線インタフェースを介して色々なアクセサリーを接続することを現実的なものとしてきている。ブルートゥースは種々の型式のマイクロプロセッサを搭載した装置間の、短距離無線通信接続の１つの標準規格である。ブルートゥースはコンピュータと周辺機器、コンピュータと無線端末、および無線端末と周辺機器との間での接続ケーブルを使用しない接続をサポートしている。ブルートゥース規格はコア仕様および支援文書とで構成され、特定型式の装置に対するシグナリング要求を指定する種々の装置プロフィールを含む。最新コア仕様は「ブルートゥース・システム仕様；コア、１．１版」であり、最新プロフィールは「ブルートゥース・システム仕様；プロフィール、１．１版」の中に含まれ、共にブルートゥース分科会（SIG : Special interest Group）有限会社から２００１年２月２日に発行されていて、これらは参照することで此処に組み入れられている。ブルートゥースＳＩＧはエリクソン（Ericsson）、ＩＢＭ、インテル（Intel）、マイクロソフト（Microsoft）およびブルートゥース規格を普及させる他の会社のコンソーシアムである。
【０００３】
ハンズフリー・ヘッドセットはブルートゥース技術を使用した最初の機器の１つである。このようなハンズフリー・ヘッドセットはハンズフリー・ブルートゥース・プロフィールを導入している。そのようなヘッドセットのブルートゥース接続性は、ヘッドセットが移動体端末またはその他のブルートゥース搭載可能装置と配線で接続される必要が無いことを意味している。代わって、ヘッドセットの使用者は単に端末装置の約１０メートル以内に居るだけで良い。ブルートゥース規格は端末装置を「オーディオ・ゲートウェイ」と呼んでいる。この事例で、端末が使用者に対して入力呼または他の事象の警報を伝えたい場合、これはヘッドセットの受話口を通して、着信音を演奏する。しかしながら、たまたま警報が受信された特定の時刻に、使用者が受話口を耳にはめていなかったり、または耳にかぶせていなかった場合、使用者はその事象に気づかないことになろう、何故ならばその端末は離れた距離に有り、おそらく書類鞄に入れられているかまたは無音警報動作モードに投入されているからである。
【発明の開示】
【発明が解決しようとする課題】
【０００４】
本発明はブルートゥース・ハンズフリー装置または、端末と短距離無線接続で通信する全てのハンズフリー装置に対して、無音警報機能を提供する。無音警報動作は任意の非聴シグナリング機構、例えば振動または光で提供することができる。任意の種々の詳細シグナリング方式はこの機能を、ブルートゥース・ハンズフリー・プロファイルを含む既存の短距離無線シグナリング機構を修正したり、または修正することなく提供することが出来よう。
【課題を解決するための手段】
【０００５】
本発明のいくつかの実施例によれば、ハンズフリー装置（「ＨＦ」）は短距離無線接続を通信端末との間で確立している。警報メッセージが短距離無線接続上で受信されると、帯域内着信音または他の警報動作と対照的にまたはそれらに追加して、無音警報動作が警報メッセージに応答して生成される。いくつかの実施例において、短距離無線接続上でハンズフリー装置により受信された警報メッセージは、その警報動作が無音であることを明確に指定している。（この様なメッセージをこれ以降「無音警報メッセージ」と呼ぶ。）この型式の警報メッセージは、いくつかの実施例において、使用者が特に無音動作モード（これ以降「無音警報モード」と言う）を、通信端末またはハンズフリー装置のいずれかにおいて、始動した結果である。この場合、以降の警報は使用者に対して１つまたはいくつかの非聴シグナリング機構により通信される。いくつかの実施例において、使用者が無音警報モードをハンズフリー装置で始動した場合、ハンズフリー装置は無音モード始動メッセージを通信端末へ短距離無線接続を介して送り返し、端末に対して後続のメッセージが無音であるべきことを教える。（例えば、電話機は呼を受信したときに「ベル」を鳴らすべきでない。）使用者がハンズフリー装置で単に無音警報モードを始動した場合は、ハンズフリー装置は帯域内着信音を消音とする場合もあるし消音としない場合もある。いくつかの実施例において、短距離無線接続はブルートゥース接続であり、全ての交換されたメッセージはブルートゥース・ハンズフリー・プロフィールに従う。
【０００６】
端末が特定無音警報モードをハンズフリーに対して送信する１つの実施例においては、ＨＦにより無音で単に実施される通常警報メッセージを送信するのとは対照的に、使用者が無音警報モードを選択したことを端末が判断しなければならない。使用者がこの情報を端末で入力する場合、端末がこの判断を行うが、それは使用者が無音警報モードをその端末の通常の入力装置を介して選択するからである。しかしながらいくつかの実施例において、使用者は無音警報モードをハンズフリー装置上で選択可能であり、この選択は端末に対して短距離無線接続経由で通信することができる。
【０００７】
全ての事例において、本発明を実施するハンズフリー装置は短距離無線接続用の無線周波数（ＲＦ）ブロック、振動機または光のような非聴シグナリング機構、および音声およびその他の音を傍受し再生するために使用される通常音響入力−出力（Ｉ／Ｏ）装置を含む。いくつかの実施例において、ハンズフリー装置内のベースバンド・ロジックがハンズフリー装置を制御し、メッセージを受信して無音警報動作を、適切な電圧を非聴シグナリング機構に与えることにより実現する。ソフトウェアまたはマイクロコード、またはハードコード半導体素子のいずれかでベースバンド・ロジックを形成し、本発明の方法をハンズフリー装置内で動作させることを可能とする。
【０００８】
１つの実施例において、無音警報モードを実現している通信端末は：通常無線端末機能、此処ではオーディオ・ゲートウェイ（ＡＧ）システムと呼ぶ、と；短距離無線ＲＦブロックと；および短距離無線接続上の通信を制御する短距離ベースバンド・ロジックとを含む。この様な通信端末はまた、ＡＧシステムと動作可能なように接続された処理プラットフォーム、短距離ベースバンド・ロジック、ＲＦブロックおよび通信端末内のその他のロジックをも含む。通信端末内のソフトウェアまたはマイクロコードは端末を制御して、入力呼またはその他の事象に応答し、適切な短距離無線接続をハンズフリー装置と確立し、使用時には無音モード始動メッセージを受信し解釈する。上記のハードウェアと適切な内部マイクロコード、ソフトウェア、またはハードコード半導体ロジックの組み合わせで、本発明を実施する手段が形成される。
【実施例】
【０００９】
次に本発明を特定の実施例を参照して説明する。これらの実施例は単なる例であって、本発明の範囲を制限する意味でないことを理解されたい。例えば、説明されている実施例は先に説明したブルートゥース規格に基づいている。しかしながら、本発明は任意の短距離無線通信プロトコルに従うハンズフリー装置および端末で実現できる。また、説明されている実施例は移動体または無線端末およびハンズフリー装置に関して開示されている。しかしながら、ハンズフリー装置は、有線または地上電話端末、コンピュータ・システム、ＰＤＡ、ラップトップ・コンピュータ、またはそれを通して使用者が音声または他の可聴手段を用いて通信を所望する任意の型式の「普及途上のコンピューティング装置」を含む多くの異なる型式の端末と共に使用できる。更に、「無音警報」、「非聴警報」等の用語は、一義的に使用者に対して通常の着信音に比較して静かに警報するように意図されている全ての警報機構を包含するように意図されており、これは振動器のような、時によっては聞こえることのある付随音を発生するような警報装置であってもである。
【００１０】
先に説明したように、ブルートゥース規格では端末を「オーディオ・ゲートウェイ」と呼び、頭文字「ＡＧ」を使用する場合もあるが、それは端末が広域または公衆ネットワーク上のゲートウェイとして機能するからである。ブルートゥースはまた、ヘッドセットを「ハンズフリー」装置と呼び、しばしば頭文字「ＨＦ」を用いる。これらの用語が以下の特定の詳細事例説明の中で使用されているが、それは本発明がブルートゥース実装に限定されることを意味しない。加えて、これらの事例で使用される特定型式の非聴シグナリング機構は振動器である；しかしながら、その他の型式も想像される：例えば、点滅灯など。
【００１１】
図１は本発明のいくつかの実施例を実現するハードウェアの外形図である。図１の中で、通信端末１０２はＡＧ装置として機能する。ＨＦ装置１０４はＡＧ１０２と短距離無線メッセージ１０６経由で通信する。ＨＦ１０４は耳部材（ｅａｒ−ｐｉｅｃｅ、受話器）１０８を含み、これはＨＦ装置用のベースバンドおよびＲＦ部品を内蔵する。ブーム１１０はマイクロフォン部材１１２を耳部材１０８に接続する。マイクロフォン部材の接続線はブーム１１０の内部に組み込まれている。この実施例において、耳部材１０８は振動器１１４を含む。この振動器は耳部材１０８内でベースバンド・ロジックに接続されており、図１のハードウェアで表される実施例内の非聴シグナリング機構として機能する。
【００１２】
図１の事例で、非聴シグナリング機構の始動は特定の無音警報メッセージをＡＧ１０２から受信することで決定されるものと想定できる。これに代わって、無音警報モードを使用者がヘッドセットを耳から外した時に始動させることも可能である。この取り外しは耳部材１０８内のベースバンド・ロジックに接続された回路を通して検出可能であろう。その様な回路は光学的に、または何らかの種類のマイクロ・スイッチを通して始動される。加えて、振動器または非聴警報機構を、単に全ての警報に対して始動することも可能である。いずれの事例においても、使用者がヘッドセットを外して体の上でぶらぶらさせる場合、非聴警報機構、この事例では振動器１１４は使用者に対して、入力呼またはその他の警報を必要とするその他の状況（例えば、電池低下、ｅメール、ショート・メッセージなど）を知覚させることが可能である。
【００１３】
図２は本発明の別の実施例に関連するハードウェアの外形図を表す。図２において、端末またはＡＧ２０２はＨＦ装置２０４と通信している。此処でも通信は短距離無線接続、例えばブルートゥース上で送られるメッセージ２０６である。ＨＦ装置２０４は耳部材２０８、マイクロフォン部材２１０、および電子機器パッケージ２１２を含み、これら全てはケーブル２１４で相互接続されている。電子機器パッケージ２１２はＡＧ２０２との通信に必要な、ベースバンドおよび無線周波数（ＲＦ）部品を含む。この電子機器パッケージは襟クリップまたはピンとして具体化されている。非聴警報機構２１６はこの電子機器パッケージの中に含まれている。この実施例において、非聴警報機構が振動器の場合、その振動を容易に感じることができるが、それはヘッドセットが使用されているときには常に、たとえ耳部材が一時的に取り外されている場合でも、電子機器パッケージ２１２が通常は体に装着されているからである。この特に図示されている実施例において、スイッチ２１８が電子機器パッケージ２１２の中に存在し、使用者が無音警報モード、可聴着信音をヘッドセットの中だけとするかまたは両方とするかの選択をできるようにしている。このスイッチは電子機器パッケージ内のベースバンド・ロジックに接続されている。１つの実施例において、無音警報モードを選択すると無音モード始動メッセージがＡＧ２０２に対して短距離無線接続上で送られる。この事例でＡＧ２０２からＨＦ２０４へ送られる後続の警報メッセージは、無音警報メッセージの形式を取る。そうでなければ、スイッチ２１８で無音警報モードを選択すると、単にＨＦ２０４に対してＡＧ２０２から受信された通常警報メッセージに対して無音警報動作で応答させるだけである。ＨＦ２０４は通常耳部材２０８を通して演奏される帯域内着信音に対して、消音してもしなくても構わない。実際、スイッチ２１８はＨＦ２０４に対する無音警報モード入力機構として機能する。
【００１４】
此処でも、先行の図は本発明の例となる実施例を表している；多くのその他の実現方法および物理的構成が可能である。例えば、先の例の襟元ピンは、例えば腕時計、ブレスレット、またはネックレスの様な多くのその他の物理的実施例の１つで置き換えることが可能である。同様に、先の例では襟元ピンとして実施されている電子機器パッケージをマイクロフォンおよび耳部材に接続しているケーブルは、それ自身を別の短距離無線リンクで置き換えることができる。従ってその様な実現例では、無音警報機構およびハンズフリー装置のオーディオ機能は物理的に区別されている。
【００１５】
図３はメッセージ図であって、本発明のいくつかの実施例で、メッセージがハンズフリー装置とオーディオ・ゲートウェイ装置との間でどの様に交換されるかを図示している。図３の中の事前メッセージおよび後続のメッセージ図はブルートゥースハンズフリー・プロフィールの中で定義されているものである。これらの特定メッセージ型式は例としてのみ示されている。ステップ３０２で、サービス・レベルの接続がＨＦとＡＧの間で確立される。この接続は使用者操作または内部事象のいずれかにより確立され、ＨＦまたはＡＧのいずれかが接続確立手順を開始する。このメッセージ図で包含される実施例において、１つの呼がステップ３０４においてオーディオ・ゲートウェイ装置で受信されると、オーディオ接続がステップ３０６で確立される。このオーディオ接続の目的は、帯域内着信音をヘッドセットに通過させることである。このオーディオ接続は、現行のブルートゥースハンズフリー・プロフィールの中であってもオプションである。帯域内着信音が使用されない場合、例えばＨＦが自身の着信音を生成する場合は、これは不要である。本発明のいくつかの実施例において、これもまた不要であり、これは此処に含まれる追加のメッセージ図に図示されている通りである。ステップ３０６でオーディオ接続が確立される場合、ＨＦまたはＡＧのいずれかがそれを開始する。１つのオーディオ接続は常に１つの既存サービス・レベル接続と関連している。従って、オーディオ接続の事前条件として、サービス・レベル接続が存在していなければならない。
【００１６】
図３の実施例において、ひとたびオーディオ接続が確立されると、呼び出し音（警報）メッセージがＡＧからＨＦへ、ステップ３０８で送られる。この時点で、ＨＦは無音警報モードが選択されていたか否かを、ステップ３１０で判断する。もし選択されていない場合、ＨＦは使用者に対して従来技術の方式で警報を発するが、これは３１２で開始される処理を通して行われる。無音警報モードが選択されている場合、または無音モード警報が単に常に装置内に存在する場合、無音警報動作がステップ３１４で実行される。この実施例の中で、無音警報動作は振動器を始動することで実行される。図３の実施例は以前から存在する、帯域内呼び出し音を具備したブルートゥースハンズフリー・プロフィールが使用されていると想定しているので、帯域内呼び出し音がオーディオ・ゲートウェイ装置からＨＦへ、ステップ３１６で送られる。ＨＦはステップ３１８で、この音をオプションとして消音することが出来る。使用者が直ちに返答しない場合、別の呼び出し音（警報）メッセージがＡＧからＨＦへ、ステップ３２０で送信される。再び、振動器がステップ３２２で始動される。帯域内呼び出し音が消音されている場合、ステップ３２６で帯域内呼び出し音がオーディオ接続上で送られた際に、消音操作がステップ３２４で再び始動される。これら最後の４つのステップは必要に応じて繰り返される。振動要素の任意の随意選択パターンまたはパルス化は、これらの実施例の中ではベースバンド・ロジックが適切なオン／オフ信号を振動器に与えることで実現される。同様のパルス化パターンを別の非聴シグナリング機構に与えることができる。
【００１７】
図３の例の中で、使用者は３２８で返答する。この返答は「アテンション」指令、または「ＡＴ」指令をＨＦ装置からＡＧ装置へ開始する。この事例の中で、メッセージは「ＡＴＡ」メッセージ、または返答メッセージを、３３０に示すように含む。ＡＧ装置は標準「ＯＫ」応答を３３２で発行する。次にＡＧ装置は指令「＋ＣＩＥＶ」を発行し、これはブルートゥースＨＦプロフィールの中では、非請求呼状態指示メッセージである。このメッセージは呼状態に関する特定パラメータを指定できる。この事例の中で、メッセージ３３４は呼状態が始動されていることを指定する。
【００１８】
図４はＨＦ装置の内部処理のいくつかを図示する、別のメッセージ図である。図４のシナリオは、此処でも標準ブルートゥース・ハンズフリー・プロフィールが使用されていると想定している。この事例では、帯域内呼び出し音はＡＧ装置から送られず、知られているように個々のモデル・ヘッドセットが自身の呼び出し音を生成する。此処でも、サービス・レベル接続がステップ４０２で確立される。呼がステップ４０４で受信される。呼び出し音（警報）メッセージがＡＧ装置からＨＦ装置へ、ステップ４０６で送られる。ＨＦ装置はステップ４０８で、無音警報モードが有効であるか否か判定する。そうでない場合、耳部材内の呼び出し音の生成を含む通常操作が４１０で開始される。無音警報モードが有効である場合、無音警報動作、この場合振動がステップ４１２で生成される。オプションとして呼び出し音もまた生成される。無音警報モード選択およびオプションの呼び出し音生成はＨＦ装置上の制御器を通して使用者により入力される。使用者が警報に応答しない場合、呼び出し音（警報）メッセージが再びステップ４１４で送られ、振動が再びステップ４１６で生成される。これらのステップは使用者が応答するまで必要に応じて繰り返される。シナリオの残り部分は図３に示すものと同様である。使用者がステップ４２８で応答し、「ＡＴＡ」メッセージがＨＦ装置からＡＧ装置へ、４３０で送られる。「ＯＫ」応答メッセージが、ＡＧ装置からＨＦ装置へ、４３２で送られる。再び、非請求呼状態指示メッセージがＡＧ装置からＨＦ装置へ送られる。しかしながら、この事例の中でオーディオ接続は４３６まで確立されず、その時点で使用者は発呼者と会話を始める。オーディオ接続の確立である、ステップ４３６はその警報が入力呼以外の別の理由の場合は実行されない。例えば、警報がｅメール受信、ショート・メッセージ、またはＨＦ装置またはＡＧ装置いずれかの状態変化、例えば電池低下状態を示す場合がある。
【００１９】
図５および図６は共に実施例のシナリオを図示し、ブルートゥース・ハンズフリー・プロフィールがハンズフリー装置の、特に無音モード操作に関するメッセージを含むように修正変更されている実施例である。（此処でも、ブルートゥースは本発明に本質的なものではないことに留意されたい；任意の短距離無線通信リンクが使用可能である。）図５において、サービス・レベル接続が再び５０２で確立される。全ての呼は５０５で受信される。このシナリオにおいて、無音警報メッセージはＡＧ装置からＨＦ装置へステップ５０６で送られる。このメッセージは先に説明した通常呼び出し音メッセージと同様であるが、このメッセージは明示的に無音呼び出しを指定している。ＡＧ装置はこの新たなメッセージを、本発明のこれらの実施例に基づいて送信するようにプログラムおよび設計されている。加えて、ＨＦ装置はこの新たなメッセージを本発明のこれらの実施例に基づいて理解するようにプログラムおよび設計されている。このメッセージに応答して、ＨＦ装置は５０８で無音警報動作を生成する。この例では、この動作は振動である。使用者が返答しない場合、無音呼び出し（警報）メッセージが５１０で繰り返され、無音警報動作が５１２で繰り返される。これらの２つのステップが必要に応じて繰り返される。
【００２０】
先と同様、使用者がステップ５２８で返答すると、ＡＴＡ（返答）メッセージ５３０がＨＦ装置からＡＧ装置に送られる。「ＯＫ」応答メッセージがその他の方向にステップ５３２で転送される。再び、無請求呼状態指示メッセージがＡＧ装置からＨＦ装置へ、ステップ５３４で送られる。最後に、オーディオ接続がステップ５３６で確立される。
【００２１】
以上のシナリオにおいて、ＡＧ装置は無音警報メッセージをＨＦ装置に送ることを知らなければならない。使用者入力処理を通してそうするように設定されていると想定されている。図６は無音警報モードの使用者入力選択がハンズフリー装置で実行される、実施例を図示している。図６において、サービス・レベル接続が再び６０２で確立されている。しかしながら、この事例のなかで、使用者は無音警報モードを無音警報入力機構、例えばＨＦ装置上のスイッチを用いて始動している。使用者はこの操作をステップ６０４で行う。この入力によりＨＦはＡＧへ１つのメッセージを送る。この実施例の中で図示されているメッセージは、標準事象報告メッセージ「ＡＴ＋ＣＭＥＲ」である。このメッセージは現在、ブルートゥース・ハンズフリー・プロフィールの中で定義されている。しかしながら、本発明のこの実施例に基づけば、無音警報モードを指定する新たなパラメータがこのメッセージに付加されている。従って、図６のメッセージ６０６はＨＦ装置からＡＧ装置へ送られる、「ＡＴ＋ＣＭＥＲ：（モード：無音）」メッセージである。ＡＧ装置は、ステップ６０８で「ＯＫ」メッセージで応答する。呼はステップ６１０で受信され、ＡＧ装置は６１２で無音警報メッセージをＨＦ装置へ転送することで応答する。無音警報動作はＨＦ装置において、ステップ６１４で開始される。使用者が返答しない場合、無音警報メッセージ６１６が再び、ＨＦ装置に送られる。再び、無音警報動作、この事例では振動、が６１８で生成され、これらのステップは使用者が返答するまで繰り返される。使用者が６２０で返答すると、「ＡＴＡ（返答）」メッセージ６３０が、再びＨＦ装置からＡＧ装置へ送られ、結果として「ＯＫ」応答が返される。無請求呼状態指示メッセージ６３４が再びＡＧ装置からＨＦ装置へ先と同様に送られる。次に、先と同様オーディオ接続がステップ６３６で確立される。
【００２２】
図６の例の中で、使用者が後続の事象に対して通常可聴警報を聞きたいと判断していると想定している。従って、標準事象報告指令、「ＡＴ＋ＣＭＥＲ」が再びＨＦ装置からＡＧ装置に対して、使用者のＨＦ装置への入力に応答して送られる。この場合、新たに定義されたパラメータは通常呼び出し音に対するものである。従ってメッセージ「ＡＴ＋ＣＭＥＲ：（モード：通常呼び出し音）」がＨＦ装置からＡＧ装置へ、ステップ６３８で転送される。オーディオ・ゲートウェイ装置が再びステップ６４０で「ＯＫ」を応答する。
【００２３】
図７は本発明の実施例を実現可能な、ハンズフリー装置のハードウェア・ブロック図である。この型式のハンズフリー装置はコンパクトなので、そのような装置のほとんどの機能はしばしば単一の半導体チップの中に含まれており、これは装置のベースバンド・ロジック７００を実行する。実際、ＲＦ構成要素を含むハンズフリー装置の全ての電子機器そして／またはロジックは、単一部材の中に統合することができる。図７の例において、ベースバンド・ロジックは中央処理ユニット（ＣＰＵ）コア７０２を含む。この処理コアは装置の動作を制御する。典型的に、このコアはマイクロプロセッサおよび支援ロジックを含み、短距離無線インタフェースおよびリンク制御機能用のプロトコル・スタックを実行する。内部バス７０４はＣＰＵをベースバンド・ロジック内の種々のその他の構成要素にリンクする。これらはメモリを含み、これはランダムアクセス・メモリ（ＲＡＭ）７０６と読み取り専用メモリ（ＲＯＭ）７０８とに体系づけられる。ＲＡＭは短距離無線接続上で送受信される情報を一時的に格納するために使用される。ＲＯＭは装置の動作を制御するコンピュータ・プログラム・コードまたはマイクロコードを格納する。制御インタフェース７１０はハンズフリー装置内に含まれている任意のボタンまたは制御装置７１２から、入力を受け取る。これらのボタンまたは制御機器は典型的に、存在する全ての無音警報モード入力機構に対応する。制御インタフェース７１０はまた、電圧信号を非聴シグナリング機構、この場合は振動器７１４へ送る。この非聴シグナリング機構は別の型式、例えば点滅灯でも可能なことを留意されたい。また使用される振動器の型式は、設計上の選択である。振動器の例としては、ピエゾ電子装置、および偏心質量を具備した小型電動モータが含まれる。
【００２４】
この例のＲＦインタフェース７１６およびパルス・コード変調（ＰＣＭ）ブロック７１８は各々ベースバンド・ロジック７００の外部にある装置へのインタフェースを提供する。ＲＦインタフェース７１６はＲＦブロック７１８への接続性を提供し、これは内部アンテナであるアンテナ７２０、を通して短距離無線接続用の無線周波数送信および受信機能を提供する。ＰＣＭインタフェース７１８はコーデック７２２への接続性を提供する。コーデックはマイクロフォン７２４を通して受信されたオーディオを符号化し、スピーカ７２６を通して演奏されるようにオーディオを復号する。ハンズフリー装置の個別の構成に依存して、スピーカ７２６およびマイクロフォン７２４はハンズフリー装置内で実際のコーデックおよびその他のハードウェアから離して配置されている場合もある。例えば、ブーム型ヘッドセットではマイクロフォンはブームの端に配置され配線でコーデックに接続されている。襟元ピンとして実現されている装置では、マイクロフォンとスピーカの両方が離れて配置され、配線でコーデックに接続されている。図７に図示されているハードウェア・ブロック図は単なる例に過ぎないことを強調しておく。ブルートゥース装置を含むそのような装置を実現するには多数のロジック構成が存在する。
【００２５】
図８は本発明の実施例を実現する移動体端末のブロック図である。図８はブルートゥース機能を具備した移動体端末を図示する。此処でも、本発明は任意の短距離無線技術で実現可能であり、ブルートゥース規格での実現に限定される必要が無いことを理解されたい。この図は例として示す目的のみであり、実質的に異なる構成のブルートゥース端末でも、本発明は先に説明したように動作する。また、先に述べたように、ブルートゥース・ハンズフリー装置は移動体端末に加えて、その他のオーディオ・ゲートウェイ装置、例えばパーソナル・コンピュータ、有線端末、ワークステーション、またはオーディオ・メッセージを送受信するために使用できる任意のその他の型式の装置を含む、で使用可能である。図８の端末は、公衆、広域、無線ネットワークとの通信機能を実現するためにも動作する、従来型移動体端末構成要素も含む。これらの構成要素は共にオーディオ・ゲートウェイ（ＡＧ）システムを形成するように動作すると言える。これらは、ＡＧ  ＲＦブロック８０１、ＡＧベースバンド・ロジック・ブロック８０２、制御ロジック・ブロック８０３、およびマイクロフォンおよびスピーカ構成要素とインタフェースするためのローカル・オーディオ・コーデック８０４とを含む。無線通信ブロック８０１内で公衆ネットワークへの送受信情報は適切な無線周波数との間で変換され、基本帯域または中間周波数回路を使用したフィルタ処理が適用されるが、これは同業者には理解されるとおりである。端末の長距離アンテナ・システム８０７がＡＧ  ＲＦブロック８０１に接続されている。ＡＧベースバンド・ロジック・ブロック８０２内で、基本信号処理が行われ、これは例えば同期、チャンネル符号化、復号化、およびバースト・フォーマッティングを含み、これは同業者には理解されるとおりである。コーデック８０４は音声およびアナログ／デジタルおよびデジタル／アナログ処理を取り扱い、マイクロフォン８０５を通して入力を受信し、スピーカ８０６を通して出力を生成する。先に述べたＡＧトランシーバ・ブロックの機能は１つまたは複数のマイクロプロセッサまたはデジタル信号処理装置および、適切なマイクロコードを含む関連するメモリとで指令および制御されており、これらは図示の目的で中央処理装置（ＣＰＵ）プラットフォーム８０８として示されている。この例の端末はＳＩＭカード読み取り機インタフェース８１０で、加入者識別モジュール（SIM : Subscriber Identity Module）カードを受け入れている。制御ロジック８０３はキーパッドおよび液晶表示器（ＬＣＤ）、これらは明示されていない、のようなヒューマン・インタフェース部品を制御している。上述の構成要素は移動体端末のＡＧシステムを形成する。
【００２６】
図８の移動体端末はブルートゥース・アンテナ構成要素８１０、（おそらくは内蔵）およびブルートゥースＲＦブロック８１２を含む。これらの構成要素は本質的にハンズフリー装置の中に見られるものと同一である。端末はまたブルートゥース・ベースバンド・ロジック８１４も含む。ブルートゥース・ベースバンド・ロジックは移動体端末のＣＰＵプラットフォームと機能的に接続されている。ブルートゥース・ベースバンド・ロジックは図７で示されているハンズフリー装置と、制御インタフェースを除いて本質的に同じである。制御インタフェースの代わりは、ＣＰＵプラットフォーム、およびおそらくは移動体端末内のその他の構成要素と接続するために必要なインタフェースである。これらは１つまたは複数のユニバーサル・シリアル・バス（ＵＳＢ）インタフェース、ユニバーサル非同期受信送信機（ＵＡＲＴ）、並びにクロックおよびデータ読み取り／書き込みラインを含むはずである。しかしながら、ブルートゥース・アンテナ８１０、ブルートゥースＲＦブロック８１２、およびブルートゥース・ベースバンド・ロジック・ブロック８１４は各々ＡＧアセンブリの対応する部分と物理的に組み合わされており、物理的に別である必要が無いことに注意されたい。例えば、複数周波数で放射することが可能で、ＡＧアンテナ８０７とブルートゥース・アンテナ８１０と同時に動作する単一アンテナ構造も可能である。同様に、ブルートゥース・ベースバンド・ロジック・ブロック８１４を、ＡＧベースバンド・ロジック８０２を実現する装置の中に組み入れて、物理的に区別できないようにすることも可能である。従って、此処に挙げる全てのこれらの機能または機能要素の見本は、別々の構成部品の中に組み込まれる機能または他の機能と一緒に端末内の任意の構成部品の中に組み込まれる機能のいずれかを意味している。
【００２７】
上記の移動体端末は従来型「セルラ」電話機と類似しているが、此処で使用されるように移動体端末、ワイヤレス端末、またはオーディオ・ゲートウェイ装置という用語および類似の用語は：多重ライン表示器を具備した、または具備していないセルラ電話機；データ処理、ファクシミリおよびデータ通信機能を具備したセルラ無線電話機と組み合わされたパーソナル通信システム（ＰＣＳ）端末；無線電話機、ページング装置、インターネット接続、ウェブ・ブラウザ、オーガナイザを含むことが可能なパーソナル・データ・アシスタント（ＰＤＡ）；または普及しつつあるコンピューティング装置を参照している。此処でも、本発明の機能を実現するオーディオ・ゲートウェイ端末は従来型パーソナル・コンピュータで可能であり、音声情報を有線または無線ネットワークで交換できる、デスクトップまたはラップトップ、または任意のその他の電機製品または電子装置の如何を問わない。実際、端末はネットワーク接続を具備しない端末が可能であり、その中ではハンズフリー装置は単に音声認識および再生に使用される。端末と短距離無線接続上で動作する無線ハンズフリー装置は、口述筆記および再生、娯楽またはその他のアプリケーションで使用できる。
【００２８】
本発明の特定の実施例を此処まで説明してきた。遠距離通信および電子工学分野に精通の者には理解されるように、本発明は別の環境では別の用途を有する。実際、多くの実施例および実現方法が可能である。以下の特許請求の範囲は本発明の範囲を、此処に記述する特定の実施例に限定する意図は全く無い。
【図面の簡単な説明】
【００２９】
【図１】図１は本発明の１つの実施例を実現する物理的ハードウェアの外形図。
【図２】図２は本発明の別の実施例を実現する物理的ハードウェアの外形図。
【図３】図３はシグナリングと、本発明の１つの実施例の方法を実行する処理を図示する信号流れ図。
【図４】図４は本発明の別の実施例が如何にして実行されるかを図示する、別の信号および処理流れ図。
【図５】図５は本発明の１つの実施例の処理を図示する、別の信号および処理流れ図。
【図６】図６は本発明の１つの実施例の背後にある方法を図示する、別の信号および処理流れ図。
【図７】図７は本発明のいくつかの実施例を実現するために使用可能な、ハンズフリー装置のハードウェア・ブロック図。
【図８】図８は本発明のいくつかの実施例を実現するために使用可能な、特定型式の通信端末のハードウェア・ブロック図。
【図１】
0004531042.tif 000002
【図２】
0004531042.tif 000003
【図３】
0004531042.tif 000004
【図４】
0004531042.tif 000005
【図５】
0004531042.tif 000006
【図６】
0004531042.tif 000007
【図７】
0004531042.tif 000008
【図８】
0004531042.tif 000009